(57)【特許請求の範囲】
【請求項１】
複数の紙葉類が投入される紙葉類投入部と、
前記紙葉類投入部に設けられた第１のプレートと、
前記紙葉類投入部に設けられ、前記第１のプレートとの間で前記複数の紙葉類を挟み込む第２のプレートと、
前記第１のプレート及び前記第２のプレートのうち少なくとも一方に設けられ、前記第１のプレートと前記第２のプレートとにより挟み込まれた前記複数の紙葉類の圧力分布を検知する圧力分布検知シートと、
前記圧力分布検知シートにより検知される前記圧力分布から異物の有無を判断する制御部と、
を備え、
前記制御部は、前記圧力分布検知シートにより検知される前記圧力分布のうち、前記圧力分布検知シートと前記紙葉類との当接領域を検出し、該当接領域のうち中央領域よりも周縁領域で前記異物を検知しやすくするように、前記中央領域の圧力異常と前記周縁領域の圧力異常とで異なる基準を用いて前記異物の有無を判断する、
ことを特徴とする紙葉類取扱装置。
【請求項２】
前記圧力分布検知シートは、前記第１のプレート及び前記第２のプレートの両方に設けられていることを特徴とする請求項１記載の紙葉類取扱装置。
【請求項３】
前記制御部は、前記圧力分布検知シートにより検知される前記圧力分布と、あらかじめ登録された圧力分布とを比較し、異物を判断することを特徴とする請求項１又は請求項２記載の紙葉類取扱装置。
【発明の詳細な説明】
【技術分野】
【０００１】
本明細書で論じられる実施の形態は、異物を検知する紙葉類取扱装置及び異物検知機構に関する。
【背景技術】
【０００２】
従来、現金自動預け払い機（ＡＴＭ：Auto Teller Machine）の紙幣リサイクルユニット（ＢＲＵ：Bill Recycle Unit）などにおいて、顧客が紙幣束を入金する際に紙幣束をクリップ、ホッチキス、輪ゴム等で束ねた状態で紙幣リサイクルユニットに投入することがある。【０００３】
その場合、現金自動預け払い機は、紙幣が投入された後、紙幣を一枚ずつ繰出すが、紙幣が束になっているために繰出すことが出来ず、繰出しエラーや搬送ジャムが発生する。また、紙幣束の中にコインなどが混入して繰出しエラーや搬送ジャムが発生することもある。【０００４】
そこで、紙幣束がフィードローラとゲートローラとの間を通れずにこれらのローラを移動させることを異物検知センサが遮光されることで検知し、これを異物の検知と判断する装置が提案されている（例えば、特許文献１参照）。【０００５】
また、電圧を用いて異物を検知する装置（例えば、特許文献２参照）や、紙幣を押圧する押圧板の移動が途中で停止させられることに基づいて異物を検知する装置（例えば、特許文献３参照）も知られている。【０００６】
更には、検出コイル手段のインピーダンス変化に基づいて異物を検知する装置（例えば、特許文献４参照）や、金属検知コイルを用いて異物を検知する装置（例えば、特許文献５参照）も知られている。
【先行技術文献】
【特許文献】
【０００７】
【特許文献１】特開２００８−２１０３０３号公報
【特許文献２】特開２００８−４０８７６号公報
【特許文献３】特開２００３−２８１６０２号公報
【特許文献４】特公平７−７６９９３号公報
【特許文献５】特開平８−３３５２８８号公報
【発明の概要】
【発明が解決しようとする課題】
【０００８】
しかしながら、上記従来の異物検知装置は、例えば、厚さの薄い異物を検知できなかったり、広範囲に亘って異物を検知することができなかったり、或いは、検知できる異物の材質（例えば、金属であるか否か）に制限があったりするなど、異物を確実に検知することができなかった。【０００９】
１つの側面では、本発明の目的は、異物の検知精度を高めることができる紙葉類取扱装置及び異物検知機構を提供することである。
【課題を解決するための手段】
【００１０】
開示の紙葉類取扱装置は、複数の紙葉類が投入される紙葉類投入部と、前記紙葉類投入部に設けられた第１のプレートと、前記紙葉類投入部に設けられ、前記第１のプレートとの間で前記複数の紙葉類を挟み込む第２のプレートと、前記第１のプレート及び前記第２のプレートのうち少なくとも一方に設けられ、前記第１のプレートと前記第２のプレートとにより挟み込まれた前記複数の紙葉類の圧力分布を検知する圧力分布検知シートと、前記圧力分布検知シートにより検知される前記圧力分布から異物の有無を判断する制御部と、を備える。【００１１】
開示の異物検知機構は、複数の紙葉類が投入される紙葉類投入部に設けられた第１のプレートと、前記紙葉類投入部に設けられ、前記第１のプレートとの間で前記複数の紙葉類を挟み込む第２のプレートと、前記第１のプレート及び前記第２のプレートのうち少なくとも一方に設けられ、前記第１のプレートと前記第２のプレートとにより挟み込まれた前記複数の紙葉類の圧力分布を検知する圧力分布検知シートと、を備える。
【発明の効果】
【００１２】
開示の紙葉類取扱装置及び異物検知機構によれば、異物の検知精度を高めることができる。
【図面の簡単な説明】
【００１３】
【図１】実施の形態に係る紙葉類取扱装置の内部構造を示す図である。
【図２Ａ】実施の形態に係る異物検知機構の動作を示す図（その１）である。
【図２Ｂ】実施の形態に係る異物検知機構の動作を示す図（その２）である。
【図２Ｃ】実施の形態に係る異物検知機構の動作を示す図（その３）である。
【図２Ｄ】実施の形態に係る異物検知機構の動作を示す図（その４）である。
【図３】実施の形態における異物検知に関する動作の概要を示すフローチャートである。
【図４Ａ】実施の形態における圧力分布の一例を示す（その１）である。
【図４Ｂ】実施の形態における圧力分布の一例を示す（その２）である。
【図４Ｃ】実施の形態における圧力分布の一例を示す（その３）である。
【図４Ｄ】実施の形態における圧力分布の一例を示す（その４）である。
【図５】実施の形態における当接領域（紙幣）の中央領域及び周縁領域を示す図である。
【発明を実施するための形態】
【００１４】
以下、実施の形態に係る紙葉類取扱装置及び異物検知機構について、図面を参照しながら説明する。
図１は、実施の形態に係る紙葉類取扱装置１の内部構造を示す図である。
図２Ａ〜図２Ｄは、実施の形態に係る異物検知機構１０の動作を示す図である。
【００１５】
図１に示す紙葉類取扱装置１は、例えば現金自動預け払い機（ＡＴＭ）であり、異物検知機構１０と、図２に示す制御部２０と、上部モジュール３０と、下部モジュール４０と、を備える。
【００１６】
上部モジュール３０は、紙葉類投入部３１と、鑑別部３２と、正常券一時保留部３３と、不可券一時保留部３４と、繰出しローラ３５と、を有する。
紙葉類投入部３１には、紙葉類の一例である紙幣１００が顧客により投入される。
【００１７】
鑑別部３２は、紙葉類投入部３１の後方下部に配置され、紙幣１００が正常券であるか受付不可券（偽券など）であるかを鑑別する。
【００１８】
正常券一時保留部３３は、上部モジュール３０の最後部上方に配置され、紙幣１００のうち正常券を一次保留する。
【００１９】
不可券一時保留部３４は、正常券一時保留部３３の下方に配置され、紙幣１００のうち受付不可券（例えば偽造券など）を一次保留する。
【００２０】
繰出しローラ３５は、紙葉類投入部３１に投入された紙幣１００を鑑別部３２へ向かう搬送経路ａに繰出す。
【００２１】
下部モジュール４０は、例えば４つのリサイクルカセット４１と、例えば３つのリジェクトボックス４２と、を有する。
【００２２】
リサイクルカセット４１は、大型集積収容器であり、４つのリサイクルカセット４１が下部モジュール４０のほぼ全体を占めるように配置されている。
【００２３】
リジェクトボックス４２は、下部モジュール４０の後端部の空間に配置され、リサイクルしない紙幣１００やリサイクルに不適切な紙幣１００（汚れや破損があるもの）などを収容する。
【００２４】
なお、図１に示す大小の円形部分は、紙幣１００を案内するローラ、これらローラに搬送ベルトを介して圧接する単体ローラ、または相互に圧接して紙幣１００を搬送するローラ対のローラを示している。また、それらのローラ間に示す太い実線又は破線で示す矢印は、紙幣搬送ベルト又は紙幣搬送経路を示している。また、図１には、搬送経路の分岐部に設けられている切替ゲート等は図示を省略している。
【００２５】
繰出しローラ３５により紙葉類投入部３１から搬送経路ａに一枚ごと繰出された紙幣１００は、鑑別部３２を通過する。鑑別部３２を通過した紙幣は、鑑別結果に基づいて、正常券であれば搬送経路ｂ，ｃに搬送されて正常券一時保留部３３に収容される。
【００２６】
また、鑑別結果が受付不可券（偽券など）と鑑別された紙幣１００は、鑑別部３２を通過した後、搬送経路ｄに搬送されて不可券一時保留部３４に収容される。また、斜行や折れなどより鑑別部３２において鑑別不可と判断された紙幣１００は、搬送路ｂ，ｅに搬送され、紙幣１００の鑑別が全て終了したとき、羽根車３６を介して紙葉類投入部３１に返送される。
【００２７】
その後、紙葉類取扱装置１の顧客操作側に設置された表示部（不図示）に受け付けた紙幣１００に関する情報が表示される。顧客が正常券一時保留部３３にある正常券のみ預金するよう不図示の入力パネルから指示したときは、正常券一時保留部３３から正常券が繰出され、搬送経路ｃ，ｆを通って再び鑑別部３２を通過する。
【００２８】
その鑑別で、リサイクル率が高い紙幣と鑑別された紙幣１００は、搬送経路ｇ，ｈを経由して、所定のリサイクルカセット４１に収容される。また、リサイクル率の低い金種と鑑別された紙幣１００、及び、後刻銀行側で交換が必要な汚れ等の不良紙幣と鑑別された紙幣１００は、搬送経路ｇ，ｉを経由して、所定のリジェクトボックス４２に収容される。
【００２９】
図２Ａ〜図２Ｄに示すように、異物検知機構１０は、第１のプレートの一例であるステージ１１と、第２のプレートの一例であるプッシャ１２と、圧力分布検知シート１３，１４と、を有する。
【００３０】
ステージ１１及びプッシャ１２は、複数の紙幣（以下、「複数の紙幣」を「紙幣束」と記す。）１００が投入される紙葉類投入部３１において、互いに対向するように配置されている。
【００３１】
ステージ１１及びプッシャ１２は、本実施の形態では、紙葉類投入部３１のうち紙幣１００が載置される載置面３１ａと平行に移動可能である。また、詳しくは後述するが、ステージ１１がプッシャ１２に接近することで、ステージ１１及びプッシャ１２は、紙幣束１００を挟み込む。
【００３２】
紙葉類投入部３１の載置面３１ａは、プッシャ１２側が上、ステージ１１側が下となるように水平面に対して傾いている。また、ステージ１１及びプッシャ１２は、例えば、圧力分布検知シート１３，１４が載置面３１ａと直交するように、鉛直面に対して傾いている。
【００３３】
圧力分布検知シート１３，１４は、ステージ１１及びプッシャ１２の両方の紙幣束１００との当接面に例えば貼り付けられて設けられる。圧力分布検知シート１３，１４の大きさは、投入されうる複数種の紙幣１００よりも大きくするとよい。圧力分布検知シート１３，１４は、ステージ１１及びプッシャ１２のうち一方に設けられていてもよいが、検知精度の観点では、両方に設けることがより望ましい。
【００３４】
圧力分布検知シート１３，１４により検知された圧力分布は、図２Ａ〜図２Ｄに示す制御部２０に送信される。制御部２０は、圧力分布検知シート１３，１４により検知される圧力分布から異物の有無を判断する。制御部２０は、例えば、紙葉類取扱装置１全体の動作を制御するコンピュータである。
【００３５】
図３は、実施の形態における異物検知に関する動作の概要を示すフローチャートである。
まず、図２Ｂに示すように紙葉類投入部３１に紙幣束１００が投入されると、図示しない投入検知センサが紙幣束１００の投入を検知する（ステップＳ１）。なお、投入された紙幣束１００は、紙葉類投入部３１の載置面３１ａ及びステージ１１に当接するように積層されていく。
【００３６】
次に、図２Ｃに示すようにステージ１１がプッシャ１２に接近するように移動して、ステージ１１とプッシャ１２とが紙幣束１００を挟み込む。なお、ステージ１１ではなくプッシャ１２がステージ１１に接近するように移動してもよい。また、ステージ１１及びプッシャ１２の両方が互いに接近するように移動してもよい。
【００３７】
異物検知については詳しくは後述するが、制御部２０が異物有りと判断した場合（Ｓ３がＹＥＳ）には、図２Ｄに示すようにステージ１１が初期位置、すなわち、紙葉類投入部３１に紙幣束１００が投入されるときの図２Ａに示す位置に移動する（Ｓ４）。なお、ステージ１１は、上記のとおり、まずはプッシャ１２に接近するように移動するが、制御部２０は、ステージ１１の接近移動の開始から圧力分布検知シート１３，１４により検知される圧力分布を受信し、異物が有ると判断した時点で、ステージ１１が接近移動を終了して上記初期位置に移動するとよい。
【００３８】
次に、異物を紙葉類取扱装置１の装置内に受け入れないために、紙葉類投入部３１が開放して紙幣束１００が顧客に返却される（Ｓ５）。
【００３９】
一方、制御部２０が異物無しと判断した場合（Ｓ３がＮＯ）、ステージ１１及びプッシャ１２は、繰出しローラ３５が紙幣１００を繰出す際の繰出し位置へ移動する（Ｓ６）。
【００４０】
そして、繰出しローラ３５が紙幣１００を所定の搬送経路に１枚ずつ繰出していく（Ｓ７）。なお、ステージ１１には、繰出しローラ３５が挿入される開口部が形成され、繰出しローラ３５がステージ１１を貫通した状態で紙幣１００を繰出すようにするとよい。
【００４１】
異物の有無に関して、制御部２０は、圧力分布検知シート１３，１４により検知される圧力分布のうち、圧力分布検知シート１３，１４と紙幣束１００との当接領域Ｒ（図４Ａ〜図４Ｄ及び図５参照）を検出し、この当接領域Ｒのみにおける異物の有無を判断するとよい。この当接領域Ｒは、圧力分布検知シート１３，１４が圧力を検知する領域となるが、例えば、この圧力を検知される領域の４つ角の座標から矩形の領域として切り出して検出してもよい。
【００４２】
例えば、図４Ａに示すように、紙幣束１００の右上部分にホッチキス止め部分１０１があると、当接領域Ｒのうち右上部分に、検知圧力が所定の圧力基準（例えば、通常値の任意の倍数）を超える部分（図４Ａでは色の濃い部分）が生じる。この圧力基準を超える部分の集合（連続する部分）が所定の面積基準（例えば、数ｃｍ２）に達すると、制御部２０が異物（Ａ１）と判断するとよい。なお、図４Ａに示すように、当接領域Ｒのうち右下部分にも検知圧力が圧力基準を超える部分があるが、この部分は面積基準に達しないため、異常とは判断されていない。
【００４３】
図４Ｂに示すように、紙幣束１００の中央上部分にクリップ止め部分１０２がある場合、当接領域Ｒのうち中央上部分に検知圧力が所定の圧力基準を超える部分が生じ、この部分の集合が所定の面積基準に達すると、異物（Ａ２）と判断される。
【００４４】
また、図４Ｃに示すように、紙幣束１００の中央に輪ゴム止め部分１０３がある場合、当接領域Ｒのうち輪ゴム止め部分１０３に近接する位置に検知圧力が所定の圧力基準を超える部分が生じ、この部分の集合が所定の面積基準に達すると、異物があると判断される（Ａ３）。なお、図４Ｃに示すように、当接領域Ｒの右端部分にも圧力が他の部分よりも高い部分があるが、この部分の集合は、検知圧力が所定の圧力基準を超えていないために、この部分のみで異物があることを判断しないようにしてもよい。
【００４５】
また、図４Ｄに示すように、紙幣束１００の中央にコイン１０４がある場合、当接領域Ｒのうち中央に検知圧力が所定の圧力基準を超える部分が生じ、この部分の集合が所定の面積基準に達すると、異物（Ａ４）と判断される。
【００４６】
なお、制御部２０は、図５に示すように、当接領域Ｒのうち中央領域Ｒ１（例えば、下記の周縁領域Ｒ２以外の部分）よりも周縁領域Ｒ２（例えば、当接領域Ｒのうち周縁から一定距離の部分）で異物を検知しやすくするように、中央領域Ｒ１の圧力異常と周縁領域Ｒ２の圧力異常とで異なる基準を用いて異物の有無を判断するとよい。判断基準としては、例えば、上記圧力基準を周縁領域Ｒ２で中央領域Ｒ１よりも低くすること、或いは、圧力基準を超える部分の集合の上記面積基準を周縁領域Ｒ２で中央領域Ｒ１よりも狭くすることなどであり、これらによって、周縁領域Ｒ２の異物を中央領域Ｒ１の異物よりも検知しやすくすることができる。
【００４７】
以上説明した本実施の形態では、圧力分布検知シート１３，１４は、第１のプレートの一例であるステージ１１と第２のプレートの一例であるプッシャ１２とのうち少なくとも一方に設けられ、ステージ１１とプッシャ１２とにより挟み込まれた複数の紙幣１００の圧力分布を検知する。そのため、厚さや材質によらず、広範囲に亘って異物を検知することができる。よって、本実施の形態によれば、異物の検知精度を高めることができる。
【００４８】
また、本実施の形態では、圧力分布検知シート１３，１４は、第１のプレートの一例であるステージ１１と第２のプレートの一例であるプッシャ１２との両方に設けられている。そのため、異物の検知精度をより一層高めることができる。
【００４９】
また、本実施の形態では、制御部２０は、圧力分布検知シート１３，１４により検知される圧力分布のうち、圧力分布検知シート１３，１４と紙幣束１００との当接領域Ｒを検出し、この当接領域Ｒにおける異物の有無を判断する。そのため、紙幣束１００に混入する異物のみを簡単な制御で検知することができる。
【００５０】
また、本実施の形態では、制御部２０は、圧力分布検知シート１３，１４により検知される圧力分布のうち、圧力分布検知シート１３，１４と紙幣束１００との当接領域Ｒを検出し、この当接領域Ｒのうち中央領域Ｒ１よりも周縁領域Ｒ２で異物を検知しやすくするように、中央領域Ｒ１の圧力異常と周縁領域Ｒ２の圧力異常とで異なる基準を用いて異物の有無を判断するとよい。図４Ａに示すホッチキス止め部分１０１、図４Ｂに示すクリップ止め部分１０２、輪ゴム止め部分１０３など、異物は、少なくとも一部が周縁領域Ｒ２に位置することが多いため、周縁領域Ｒ２の異物を確実に検知することができる。
【００５１】
また、想定される異物（例えば、図４Ａ〜図４Ｄ）について、あらかじめ検出される圧力分布パターンをテンプレートとして記憶させ、圧力分布検知シート１３，１４が検出した圧力分布結果と比較して、異物が何かを判断し、上位装置や操作者に通知する様にしても良い。
【符号の説明】
【００５２】
１      紙葉類取扱装置
１０      異物検知機構
１１      ステージ
１２      プッシャ
１３      圧力分布検知シート
１４      圧力分布検知シート
２０      制御部
３０      上部モジュール
３１      紙葉類投入部
３１ａ      載置面
３２      鑑別部
３３      正常券一時保留部
３４      不可券一時保留部
３５      繰出しローラ
３６      羽根車
４０      下部モジュール
４１      リサイクルカセット
４２      リジェクトボックス
１００      紙幣
【図１】
0005856695.tif 000002
【図２Ａ】
0005856695.tif 000003
【図２Ｂ】
0005856695.tif 000004
【図２Ｃ】
0005856695.tif 000005
【図２Ｄ】
0005856695.tif 000006
【図３】
0005856695.tif 000007
【図４Ａ】
0005856695.tif 000008
【図４Ｂ】
0005856695.tif 000009
【図４Ｃ】
0005856695.tif 000010
【図４Ｄ】
0005856695.tif 000011
【図５】
0005856695.tif 000012